(57)【要約】【課題】ワイヤーハーネス分岐部の結束作業性の向上を図れるワイヤーハーネス分岐部用結束バンドを提供する。【解決手段】バンド主部２の基端部に、ロック部４を備えた枝部３とリング部５を備えた枝部３とを枝分かれ状に一体に連設する。この枝部３，３どうし間でワイヤーハーネス分岐部ＷＤの支線部ＢＬを挟み、１本のバンド主部２をワイヤーハーネス分岐部ＷＤの幹線部ＴＬに巻き付けて該バンド主部２の先端部を互いに重ね合わされるリング部５とロック部４の挿通係止孔７に順に挿通し該挿通係止孔７内に抜け止め状に係止する。【選択図】　　図７
2004015951.tif 000002
【特許請求の範囲】
【請求項１】
複数本のワイヤーハーネスを寄せ集めることにより幹線部とこの幹線部から分岐した支線部とが形成されたワイヤーハーネス分岐部に用いられる結束バンドにおいて、
可撓性を有するバンド主部の基端部に枝分かれ状に一体に連設された複数本の可撓性を有する枝部のうちの１つの枝部の先端に、前記バンド主部の先端部を挿通させて抜け止め状に係止させる挿通係止孔を有するロック部が一体に備えられており、残りの枝部の先端に、該枝部を前記ロック部に重ね合わせ可能でかつ該ロック部への重合状態で前記バンド主部の先端部が挿通される少なくとも一つの無端状のリング部が一体に備えられており、前記ロック部とリング部とは互いに分離されていることを特徴とする、ワイヤーハーネス分岐部用結束バンド。
【請求項２】
前記ワイヤーハーネス分岐部で前記支線部を挟む二股状の２本の前記枝部を有し、この２本の枝部のうちの片方の枝部の先端に前記ロック部が設けられ、他方の枝部の先端に前記リング部が設けられている、請求項１記載のワイヤーハーネス分岐部用結束バンド。
【請求項３】
前記バンド主部に、車体や機器等の他部材に対する止め具が設けられている、請求項１又は２に記載のワイヤーハーネス分岐部用結束バンド。
【発明の詳細な説明】
【０００１】
【発明の属する技術分野】
本発明は、ワイヤーハーネスの幹線部とこの幹線部から分岐した支線部からなる分岐部分を結束状態に保持するのに好適に使用できる結束バンドに関する。
【０００２】
【従来の技術】
この種のワイヤーハーネス分岐部用結束バンドは、例えば、実開昭６３−９７２７９号公報や実開平６−６５６８２号公報等に公知である。この結束バンドは、バンド主部を通して抜け止め状に係止する挿通係止孔を有するロック部を有し、このロック部の近傍から二股状に分岐する２条のバンド主部を延設してなり、その２条のバンド主部どうし間にワイヤーハーネス分岐部の支線部を入れて、２条のバンド主部をワイヤーハーネス分岐部の幹線部に巻き付け、前記ロック部の挿通係止孔内に２条のバンド主部のそれぞれの先端部を重ね合わすか（実開昭６３−９７２７９号公報記載の結束バンドの場合）又は並べて（実開平６−６５６８２号公報記載の結束バンドの場合）挿通して抜け止め状に係止することによりワイヤーハーネス分岐部を結束状態に保持するようになっている。
【０００３】
【発明が解決しようとする課題】
しかるに、上記公知のワイヤーハーネス分岐部用結束バンドではロック部の挿通係止孔に２条のバンド主部のそれぞれを挿通しなければならないので、その挿通作業が非常に面倒で煩わしく、ワイヤーハーネス分岐部の結束作業能率の低下を来たす原因の一つになっていた。
【０００４】
本発明の目的は、このような問題を解消するためになされたものであり、ロック部の挿通係止孔へのバンド挿通作業性、およびワイヤーハーネス分岐部の結束作業性の向上を図り得るワイヤーハーネス分岐部用結束バンドを提供することにある。
【０００５】
【課題を解決するための手段】
本発明は、複数本のワイヤーハーネスを寄せ集めることにより幹線部とこの幹線部から分岐した支線部とが形成されたワイヤーハーネス分岐部に用いられる結束バンドにおいて、可撓性を有するバンド主部の基端部に枝分かれ状に一体に連設された複数本の可撓性を有する枝部のうちの１つの枝部の先端に、前記バンド主部の先端部を挿通させて抜け止め状に係止させる挿通係止孔を有するロック部が一体に備えられており、残りの枝部の先端に、該枝部を撓ませること等により前記ロック部に重ね合わせ可能でかつ該ロック部への重合状態で前記バンド主部の先端部が挿通される少なくとも一つの無端状のリング部が一体に備えられており、前記ロック部とリング部とは互いに分離されていることに特徴を有するものである。
【０００６】
一つの好適な態様において、本発明によるワイヤーハーネス分岐部用結束バンドは、前記ワイヤーハーネス分岐部で前記支線部を挟む二股状の２本の前記枝部を有し、この２本の枝部のうちの片方の枝部の先端に前記ロック部を設け、他方の枝部の先端に前記リング部を設けることができる。
また、前記バンド主部に、車体や機器等の他部材に対する止め具を設けることができる。
【０００７】
【作用】
上記構成のワイヤーハーネス分岐部用結束バンドは、枝部どうし間にワイヤーハーネス分岐部の支線部を挟んでからロック部にリング部をそれぞれの枝部の撓み変形等を介して重ね合わせ、バンド主部をワイヤーハーネス分岐部の幹線部の外周に巻き付けた後、該バンド主部の先端部をリング部及びロック部の挿通係止孔に順に挿通して該挿通係止孔内に抜け止め状に係止することによりワイヤーハーネス分岐部を緊締状に結束することができる。
【０００８】
バンド主部の基端部に、ロック部を備えた枝部とリング部を備えた枝部とを枝分かれ状に一体に連設し、この枝部どうし間でワイヤーハーネス分岐部の支線部を挟み、１本のバンド主部をワイヤーハーネス分岐部の幹線部に巻き付けて該バンド主部の先端部を互いに重ね合わされるリング部とロック部の挿通係止孔に順に挿通するようにしてあるため、ロック部の挿通係止孔及びリング部へのバンド主部の通し操作は１回で足りることになり、２条のバンド主部のそれぞれをロック部に挿通係止する従来の挿通作業に比較して、その挿通作業は簡易迅速に行える。
【０００９】
【発明の実施の形態】
本発明の好適な実施形態を図面に基づき説明する。図１は一実施例のワイヤーハーネス分岐部用結束バンドの平面図、図２は図１のワイヤーハーネス分岐部用結束バンドの底面図、図３は図１におけるＡ―Ａ線断面図、図４は他の実施例のワイヤーハーネス分岐部用結束バンドの平面図、図５は図１のワイヤーハーネス分岐部用結束バンドをワイヤーハーネス分岐部に取り付ける前の状態を示す斜視図、図６は図１のワイヤーハーネス分岐部用結束バンドでワイヤーハーネス分岐部を結束した状態の側面図、図７は図１のワイヤーハーネス分岐部用結束バンドでワイヤーハーネス分岐部を結束した状態の斜視図である。
【００１０】
本発明に係るワイヤーハーネス分岐部用結束バンド１は、図５に示すごとき複数本のワイヤーハーネスＷＨを寄せ集めることにより幹線部ＴＬとこの幹線部ＴＬから分岐した支線部ＢＬとが形成されたＴ字型等のワイヤーハーネス分岐部ＷＤに用いられるものである。
【００１１】
図１ないし図３に示すように、ワイヤーハーネス分岐部用結束バンド１は、全体がナイロン等合成樹脂製の一体成形品であり、可撓性を有する帯状のバンド主部２の基端部に複数本の可撓性を有する枝部３を枝分かれ状に一体に連設している。それら枝部３のうち１つの枝部３の先端にはロック部４が、残りの枝部３の先端にはリング部５がそれぞれ一体に備えられている。なお、図１〜図３では枝部３が２本形成されるが、図４に示すごとく３本以上設けることもできる。
【００１２】
バンド主部２の片面には、図２、図３に示すように、係合歯６をその長手方向に所定ピッチで列設している。ロック部４は四角形箱状に形成され、このロック部４にはバンド主部２がこれの先端部から挿通係止される挿通係止孔７が形成され、挿通係止孔７内にバンド主部２の係合歯６に係合する係止爪８を突設している。リング部５はバンド主部２が挿通可能な内径を有する無端状に形成されている。またリング部５はこれの枝部２を撓ませること等によりロック部４に重ね合わせることができるようにロック部４とは互いに分離されている。
【００１３】
次に、上記構成のワイヤーハーネス分岐部用結束バンド１を用いてワイヤーハーネス分岐部ＷＤを結束保持する手順について説明する。
先ず、図５に破線Ｆで示すように、この結束バンド１の枝部３，３どうし間にワイヤーハーネス分岐部ＷＤの支線部ＢＬを入れて挟む。次いで、図６、図７に示すように、ロック部４にリング部５をそれぞれの枝部３を撓ませて重ね合わせるとともに、バンド主部２を幹線部ＴＬの外周に巻き付けた後、該バンド主部２の先端部をリング部５及びロック部４の挿通係止孔７に順に挿通して該バンド主部２の係合歯６を挿通係止孔７内の係止爪８に抜け止め状に係止する。これによりワイヤーハーネス分岐部ＷＤがワイヤーハーネス分岐部用結束バンド１で確実に安定よく緊締する結束状態に保持される。ロック部４から突出するバンド主部２の先端側の余剰部分２ａは、結束後に、必要に応じて図７に示すごとく切断することができる。
【００１４】
ワイヤーハーネス分岐部ＷＤの支線部ＢＬが２つの場合には枝部３を３本にすればよい。すなわち、支線部ＢＬの数がＮのときには枝部３を（Ｎ＋１）本とすればよい。なお、ロック部４の位置は特に限定されるものではない。
【００１５】
上記のようにワイヤーハーネス分岐部用結束バンド２は、ロック部４の挿通係止孔７及びリング部５にバンド主部２を１回通すだけで足りるため、２条のバンド主部のそれぞれをロック部に挿通する従来の作業に比べて、ワイヤーハーネス分岐部ＷＤの結束作業を簡易に短時間で行なうことができる。
【００１６】
図８に示すように、バンド主部２には矢形状等の止め具９を一体に設けて、この止め具９を車体や機器等の他部材の孔や溝等に取り付けられるようにすることができる。
【００１７】
【発明の効果】
本発明のワイヤーハーネス分岐部用結束バンドによれば、ロック部の挿通係止孔に１本のバンド主部を挿通するだけで足りるためワイヤーハーネス分岐部の結束作業が簡易迅速に行えて便利である。
【図面の簡単な説明】
【図１】一実施例のワイヤーハーネス分岐部用結束バンドの平面図である。
【図２】図１のワイヤーハーネス分岐部用結束バンドの底面図である。
【図３】図１におけるＡ―Ａ線断面図である。
【図４】他の実施例のワイヤーハーネス分岐部用結束バンドの平面図である。
【図５】図１のワイヤーハーネス分岐部用結束バンドをワイヤーハーネス分岐部に取り付ける前の状態を示す斜視図である。
【図６】図１のワイヤーハーネス分岐部用結束バンドでワイヤーハーネス分岐部を結束した状態の側面図である。
【図７】図１のワイヤーハーネス分岐部用結束バンドでワイヤーハーネス分岐部を結束した状態の斜視図である。
【図８】更に他の実施例のワイヤーハーネス分岐部用結束バンドの一部の斜視図である。
【符号の説明】
ＷＤ　ワイヤーハーネス分岐部
ＴＬ　幹線部
ＢＬ　支線部
１　ワイヤーハーネス分岐部用結束バンド
２　バンド主部
３　枝部
４　ロック部
５　リング部
７　挿通係止孔
９　止め具
【図１】
2004015951.tif 000003
【図２】
2004015951.tif 000004
【図３】
2004015951.tif 000005
【図４】
2004015951.tif 000006
【図５】
2004015951.tif 000007
【図６】
2004015951.tif 000008
【図７】
2004015951.tif 000009
【図８】
2004015951.tif 000010